(57)【特許請求の範囲】
【請求項１】
回動自在に固定された扉の少なくとも１箇所において、扉側に固定された軸部材と扉の取付け対象体側に固定された軸部材とが端面同士で対向するように配置され、上記２つの軸部材の一方が磁石からなり、他方が磁性体または該磁石と吸引しあう磁石からなり、
前記扉が、磁石の吸引力で前記取付け対象体に回動自在に固定され、磁石の吸引力に抗して取り外されるものである扉開閉構造。
【請求項２】
両端で回動自在に固定された扉の少なくとも一端において、扉側に固定された軸部材と扉の取付け対象体側に固定された軸部材とが端面同士で対向するように配置され、上記２つの軸部材の一方が磁石からなり、他方が磁性体または該磁石と吸引しあう磁石からなり、
前記扉が、磁石の吸引力で前記取付け対象体に回動自在に固定され、磁石の吸引力に抗して取り外されるものである扉開閉構造。
【請求項３】
上記２つの軸部材の対向面の少なくとも一方に、滑材が設けられてなる請求項１または２記載の扉開閉構造。
【発明の詳細な説明】
【技術分野】
【０００１】
本発明は扉開閉構造に関し、より詳しくは、建造物や家具、置物などに取り付けられた回動自在に開閉する扉の開閉構造に関する。
【背景技術】
【０００２】
回動自在に開閉する扉は建造物や家具、置物などに広く用いられており、そのような扉の開閉構造の多くは、軸部材と軸受けによるものやヒンジなどである。特許文献１の扉開閉構造もその基本構成は、扉の回動中心の扉側と扉の取付け対象である本体側とに軸受けを設け、両方の軸受けに軸部材を回動自在に係合したものである。しかし、これら従来の扉開閉構造は扉の着脱を想定していないため、扉を本体から外そうとすれば、軸部材と軸受けの凹凸が障害となって着脱が容易でない。
【先行技術文献】
【特許文献】
【０００３】
【特許文献１】実用新案登録第３１６００３５号公報
【発明の概要】
【発明が解決しようとする課題】
【０００４】
本発明は、上記従来の問題に鑑みてなされたものであり、回動式開閉扉において扉の着脱が容易な扉開閉構造を提供することを目的とする。
【課題を解決するための手段】
【０００５】
本発明の扉開閉構造は、回動自在に固定された扉の少なくとも１箇所において、扉側に取り付けられた軸部材と扉の取付け対象体側に取り付けられた軸部材とが対向するように配置され、上記２つの軸部材の一方が磁石からなり、他方が磁性体または該磁石と吸引しあう磁石からなることを特徴としている。
【０００６】
本発明の扉開閉構造は、両端で回動自在に固定された扉の少なくとも一端において、扉側に取り付けられた軸部材と扉の取付け対象体側に取り付けられた軸部材とが対向するように配置され、上記２つの軸部材の一方が磁石からなり、他方が磁性体または該磁石と吸引しあう磁石からなることを特徴としている。
【０００７】
また、上記２つの軸部材の対向面の少なくとも一方に、滑材が設けられてなることが好ましい。
【発明の効果】
【０００８】
本発明によれば、扉は磁石の吸引力で取付け対象体に回動自在に固定されるため、磁石の吸引力に抗して扉を取り外すことができ、着脱が容易である。これによって、購入者自身が、室内デザインや好みに応じて異なる意匠を有する扉に容易に交換することができる。また、扉を異なる意匠のものに交換することができるため、意匠ごとに扉を製造する必要がなく、製造販売業者は在庫点数を減らすことができ、在庫管理が容易となり、コストも低減できる。さらに、扉を交換するだけで多様な意匠を取り入れることができるので、意匠の選択肢を大幅に増やすことができる。さらに、扉が破損してもその交換が容易であるため、修復の際のコスト負担を軽減できる。
【０００９】
また、扉側の軸部材と対象体側の軸部材の対向面に滑材を設けることにより、扉側の軸部材と対象体側の軸部材との摩擦抵抗が低減され、扉の回動および着脱がしやすい。
【図面の簡単な説明】
【００１０】
【図１】本発明の第１の実施の形態による家具の概略斜視図である。
【図２】図１の家具に備えられた扉開閉構造の概略断面図である。
【図３】本発明の第２の実施の形態による家具の概略斜視図である。
【図４】図３の家具に備えられた扉開閉構造のＸ−Ｘラインにおける概略断面図である。
【図５】本発明の第３の実施の形態による家具に備えられた扉開閉構造の概略断面図であり、図４に対応する図である。
【発明を実施するための形態】
【００１１】
本発明の実施の形態による扉開閉構造について、添付図面に沿って詳細に説明する。
【００１２】
図１は、本発明の第１の実施の形態による家具の概略斜視図であり、図２は、図１の家具に備えられた扉開閉構造の概略断面図である。
【００１３】
図１に示されるように、家具Ａは、天板５と地板６を有し、三方の側面が覆われ、前面のほぼ全面が開口した箱形状を有する木製の構造体である。家具Ａの前面の両側には、開口を観音開き式に開閉する左右１対の扉１ａ，１ｂが取り付けられている。２枚の扉１ａ，１ｂは木製の長方形板状体である。扉１ａ，１ｂの一端は、家具Ａの前面の開口端より前方で、その上下が天板５および地板６に回動自在に固定されている。
【００１４】
図２に示されるように、扉１ａの下側端には円柱形状の軸部材（以下、第１軸部材という）１０ａが扉１ａの下面とほぼ面一でわずかに突出するように埋込み固定されている。一方、扉の取付け対象体側の部材である地板６の上面には、第１軸部材１０ａと対向する位置に円柱形状の軸部材（以下、第２軸部材という）１０ｂが地板６の上面とほぼ面一になるように埋込み固定されている。これによって、第１軸部材１０ａおよび第２軸部材１０ｂは外部に露出せず、外観に影響を及ぼさない。なお、上記固定は嵌合やピン、ネジ、接着剤によって行う。
【００１５】
第１軸部材１０ａは磁石からなり、第２軸部材１０ｂは鉄製である。これによって、第１軸部材１０ａと第２軸部材１０ｂとは吸引しあい、扉１ａは地板６に回動自在に固定される。なお、磁石の種類は特に限定されるものではないが、取扱いが容易なフェライト磁石やネオジム磁石などの永久磁石を用いることが好ましく、第２軸部材は鉄製に限定されず、磁性体やマルテンサイト系ステンレス鋼などの強磁性体にすることができる。
【００１６】
第１軸部材１０ａの下端面と第２軸部材１０ｂの上端面はともに平滑面である。これによって、第１軸部材１０ａと第２軸部材１０ｂとの接触による摩擦抵抗が低減されるので、扉１ａの回動および扉１ａの家具Ａからの着脱がしやすい。また、扉１ａの上端の回動固定は公知の軸受けによりなされているが、上述した扉１ａの下端におけるものと同じ構成にすることができる。なお、扉１ｂにおける扉開閉構造の構成も扉１ａにおけるものと基本的に同じなので、説明は繰り返さない。
【００１７】
図３は、本発明の第２の実施の形態による家具の概略斜視図であり、図４は、図３の家具に備えられた扉開閉構造のＸ−Ｘラインにおける概略断面図である。本実施の形態による扉開閉構造の構成は先に説明した第１の実施の形態によるものと基本的に同じなので、相違点を中心に説明する。
【００１８】
図３および４に示されるように、第２の実施の形態による扉１ａは、家具Ａの側壁７の開口面側の端面が凹状に切り欠かれており、この切欠きに、扉１ａの固定端に形成された凸部が挿入されている点、および、該凸部の下端および上端に軸部材１０ａ，１１ａが埋込み固定され、側壁７の切欠きの軸部材１０ａ，１１ａと対応する位置に軸部材１０ｂ，１１ｂが埋込み固定されている点が第１の実施の形態によるものと異なる。また、扉１ａと側壁７の垂直面および凸部と切欠きの間には、扉１ａが回転することができるように空隙が設けられている。この構成によっても、扉１ａは磁石の吸引力で取付け対象体である側壁７に回動自在に固定されるため、磁石の吸引力に抗して扉を取り外すことができる。  
【００１９】
図５は、本発明の第３の実施の形態による家具に備えられた扉開閉構造の概略断面図であり、図４に対応する図である。本実施の形態による扉開閉構造の構成は先に説明した第２の実施の形態によるものと基本的に同じなので、相違点を中心に説明する。
【００２０】
図５に示されるように、第３の実施の形態による扉１ａは、側壁７の開口面側に上下に複数（２箇所）の切欠きが形成され、これに対応するように扉１ａの固定端に複数（２箇所）の凸部が形成されている点が第２の実施の形態によるものと異なる。この構成によっても、扉１ａは磁石の吸引力で取付け対象体である側壁７に回動自在に固定されるため、磁石の吸引力に抗して扉を取り外すことができる。
【００２１】
なお、上記実施の形態では扉の取付け対象体は家具であったが、これに限定されるものではなく、箱、建物、あるいは電子機器などに幅広く適用することができる。開閉式扉も左右１対のものや１枚扉に限定されるものではなく、上下開閉式や蓋状の扉に適用することができ、また、３枚以上の扉を有するものにも適用することができる。さらに、開閉についても部分的な開閉や半開き状態も含む。扉も木製に限定されず、非磁性体材料からなるものであれば良く、合成樹脂製やアルミニウム製にすることができる。
【００２２】
また、上記実施の形態では軸部材の取付け位置は扉の上端および下端であったが、これらに限定されるものではなく、扉に取り付けられた丁番の軸受け部分に本発明の扉開閉構造を取り入れることもできる。軸部材の固定についても、扉や取付け対象体への埋込み固定に限定されるものではなく、外付けすることもできる。
【００２３】
さらに、上記実施の形態では軸部材の形状は円柱形状であったが、これに限定されるものではなく、角柱形状や球形状、平板形状であっても良く、また、軸部材の材質についても、両方の軸部材を磁石にすることができる。その場合、軸部材は２つの軸部材の対向端の磁極が異なるように配置する。さらに、軸部材は、磁石のみまたは磁性体のみからなるものに限定されず、磁石や磁性体を含む部材であっても良い。そのような部材として、たとえば磁石を収容したケーシングや磁石や磁性体を粒子状にして混合した合成樹脂からなる成形物があげられる。
【００２４】
さらに、上記実施の形態では、扉側の軸部材および対象体側の軸部材に平滑面が形成されていたが、この平滑面は研磨材を用いて研磨することによって形成したものであっても良い。また、扉側の軸部材および対象体側の軸部材の接触による摩擦抵抗を軽減するため、扉側の軸部材および対象体側の軸部材の対向面の少なくとも一方に、滑材が設けられていることが好ましい。滑材としては、ニッケルなどの鍍金、テフロン（登録商標）コーティングなどの合成樹脂からなる塗膜、ジュラコン（登録商標）などの硬質の合成樹脂やゴムからなるシート部材、木製の板状体、合成樹脂がコーティングされた紙、潤滑油などがあげられる。これら滑材の厚さは、扉側の軸部材および対象体側の軸部材の吸引力を大幅に低下しない程度であれば良く、できるだけ薄い方が良く、好ましくは２ｍｍ以下である。シート部材や木製の板状体、コーティングされた紙は接着剤によって軸部材に固定することができる。
【００２５】
さらに、上記第２および第３の実施の形態では、家具の側壁に扉を回転自在に固定していたが、これに限定されるものではなく、扉と扉を回転自在に固定する場合に本発明の扉開閉構造を取り入れることができる。その場合、一方の扉の取付け対象体は他方の扉である。
【符号の説明】
【００２６】
Ａ  家具
１，１ａ，１ｂ  扉
５  天板
６  地板
７  側壁
１０ａ  （第１）軸部材
１０ｂ  （第２）軸部材
１１ａ，１１ｂ  軸部材
【要約】
【課題】回動式開閉扉において扉の着脱が容易な扉開閉構造を提供する。
【解決手段】扉開閉構造は、回動自在に固定された扉の少なくとも１箇所において、扉側に取り付けられた軸部材と扉の取付け対象体側に取り付けられた軸部材とが対向するように配置され、上記２つの軸部材の一方が磁石からなり、他方が磁性体または該磁石と吸引しあう磁石からなる。
【選択図】図２【図１】
0004846046.tif 000002
【図２】
0004846046.tif 000003
【図３】
0004846046.tif 000004
【図４】
0004846046.tif 000005
【図５】
0004846046.tif 000006